(57)【要約】【課題】携帯端末装置の多方向を広範囲に光らせることができてイルミネーション効果を発揮することができ、更に日中の屋外でも高い視認性が得られて、着信状態及び動作状態が確認できるようにした携帯端末装置を提供する。【解決手段】筺体１にバイブレータ２と照光装置９と投光窓１０ａ，１０ｂ，１０ｃとを備え、バイブレータ２の重り３には反射部材７を設け、バイブレータ２を駆動して重り３を振動させた状態で照光装置９から出射した光を反射部材７で反射させて投光窓１０ａ，１０ｂ，１０ｃから外部に投光する。【選択図】        図２
2005051397.tif 000002
【特許請求の範囲】
【請求項１】
筺体にバイブレータと照光装置と投光窓とを備え、前記バイブレータの重りには反射部材を設け、前記バイブレータを駆動して重りを振動させた状態で前記照光装置から出射した光を前記反射部材で反射させて前記投光窓から外部に投光するようにしたことを特徴とする携帯端末装置。
【請求項２】
前記照光装置がレーザ発光素子であることを特徴とする請求項１に記載の携帯端末装置。
【請求項３】
前記照光装置がＬＥＤと集光レンズからなることを特徴とする請求項１に記載の携帯端末装置。
【請求項４】
前記投光窓が外部に光を拡散させる機能を備えていることを特徴とする請求項１〜３のいずれか１つに記載の携帯端末装置。
【請求項５】
前記反射部材が１つの鏡面を備えていることを特徴とする請求項１〜４のいずれか１つに記載の携帯端末装置。
【請求項６】
前記反射部材が両面鏡であることを特徴とする請求項１〜４のいずれか１つに記載の携帯端末装置。
【請求項７】
前記バイブレータの回転速度と照光装置の点滅間隔とを、同期又は僅かなずれをもつ非同期で制御するようにしたことを特徴とする請求項１〜６のいずれか１つに記載の携帯端末装置。
【請求項８】
ＧＰＳ受信機または方位検知素子を備え、当該ＧＰＳ受信機または方位検知素子からの情報に基づいてバイブレータの回転速度と照光装置の点滅間隔とを同期させ、投光窓に照射する光の方向を指示するようにしたことを特徴とする請求項１〜６のいずれか１つに記載の携帯端末装置。
【発明の詳細な説明】
【０００１】
【発明の属する技術分野】
本発明は、携帯電話機、ＰＤＡ、コードレス電話子機、ノートパソコン等の種々の携帯通信機器に適用可能な携帯端末装置に関する。
【０００２】
【従来の技術】
従来、携帯通信機器の一例である携帯電話機では、発光部を光らせることによって着信状態を知らせたり、或いは着信に気付かない場合に所定時間ごとに発光部を光らせる等の動作状態を表示させるものがある。
【０００３】
例えば、携帯電話機にＬＥＤを内蔵し、ＬＥＤで発光した光を、ＬＥＤレンズを介して外部に導くようにし、このときＬＣＤパネルにも光が導かれるようにして、ＬＥＤレンズだけでなく、ＬＣＤパネルも光るようにしたものが特許文献１に示されている。
【０００４】
また、携帯電話機のケースにキャラクター表示部等の複数の表示部を設け、且つ携帯電話機の内部に前記表示部に対応するように複数のＬＥＤを内蔵したものが特許文献２に示されている。
【０００５】
【特許文献１】
特開平１１−３５５４０３号公報
【特許文献２】
特開２００２−０５１１３５号公報
【０００６】
【発明が解決しようとする課題】
しかし、前記特許文献１では、１つの光源（ＬＥＤ）からの光を一部分または単一方向の表示部分に導いて着信状態及び動作状態を表示させるものであるため、広い範囲又は多方向への表示には向いておらず、狭い範囲又は一方向への光の拡散のみに限られているために、イルミネーション効果等を発揮することはできなかった。
【０００７】
また、前記特許文献２では、複数の光源（ＬＥＤ）と複数の表示器から構成されている点では、前記特許文献１に比してより広い範囲の表示部があるためにイルミネーション効果も期待できるが、個々に見ると、単一光源は１個所の表示器しか照射しないことには変わりがなく、広い範囲又は単一光源から多方向への表示はできなかった。
【０００８】
本発明は、上記実情に鑑みてなしたもので、携帯端末装置の多方向を広範囲に光らせることができてイルミネーション効果を発揮することができ、着信状態及び動作状態を容易に確認できるようにした携帯端末装置を提供することを目的とするものである。
【０００９】
【課題を解決するための手段】
請求項１に係る発明は、筺体にバイブレータと照光装置と投光窓とを備え、前記バイブレータの重りには反射部材を設け、前記バイブレータを駆動して重りを振動させた状態で前記照光装置から出射した光を前記反射部材で反射させて前記投光窓から外部に投光するようにしたことを特徴とする携帯端末装置、に係るものである。
【００１０】
請求項２に記載の発明は、前記照光装置がレーザ発光素子であることを特徴とする請求項１に記載の携帯端末装置、に係るものである。
【００１１】
請求項３に記載の発明は、前記照光装置がＬＥＤと集光レンズからなることを特徴とする請求項１に記載の携帯端末装置、に係るものである。
【００１２】
請求項４に記載の発明は、前記投光窓が外部に光を拡散させる機能を備えていることを特徴とする請求項１〜３のいずれか１つに記載の携帯端末装置、に係るものである。
【００１３】
請求項５に記載の発明は、前記反射部材が１つの鏡面を備えていることを特徴とする請求項１〜４のいずれか１つに記載の携帯端末装置、に係るものである。
【００１４】
請求項６に記載の発明は、前記反射部材が両面鏡であることを特徴とする請求項１〜４のいずれか１つに記載の携帯端末装置、に係るものである。
【００１５】
請求項７に記載の発明は、前記バイブレータの回転速度と照光装置の点滅間隔とを、同期又は僅かなずれをもつ非同期で制御するようにしたことを特徴とする請求項１〜６のいずれか１つに記載の携帯端末装置、に係るものである。
【００１６】
請求項８に記載の発明は、ＧＰＳ受信機または方位検知素子を備え、当該ＧＰＳ受信機または方位検知素子からの情報に基づいてバイブレータの回転速度と照光装置の点滅間隔とを同期させ、投光窓に照射する光の方向を指示するようにしたことを特徴とする請求項１〜６のいずれか１つに記載の携帯端末装置、に係るものである。
【００１７】
上記手段によれば、筺体にバイブレータと照光装置と投光窓とを備え、バイブレータの重りに反射部材を設け、バイブレータを駆動して重りを振動させた状態で前記照光装置から出射した光を反射部材で反射させて投光窓から外部に投光するようにしたので、１つの照光装置（光源）からの光を、広範囲且つ多方向に投光してイルミネーション効果を高めることができる。更に、バイブレータの回転速度を変えたり、照光装置の点滅時間とバイブレータの回転速度を同期、或いは僅かなずれをもつ非同期で制御することにより、光る方向を静止させたり、光る方向を低速で移動（回転）させたり、任意の表示窓をランダムで光らせる等、複雑な状態表示ができる。
【００１８】
照光装置にレーザ発光素子を用いる、又はＬＥＤと集光レンズを組み合わせて用いることにより、光の強度を高めて、日中の屋外においても着信状態及び動作状態が視認できるようになる。更に、このとき、投光窓に外部に向けて光を拡散させる機能を備えることにより、光を拡散させてイルミネーション効果を更に高めることができる。
【００１９】
また、反射部材が１つの鏡面を備えている場合には、バイブレータの半回転（１８０゜回転）おきに略３６０゜の範囲の多方向に投光することができ、また、反射部材が両面鏡の場合には、常に略３６０゜の範囲の多方向に連続して投光することができる。
【００２０】
更に、ＧＰＳ受信機または方位検知素子を備えて、当該ＧＰＳ受信機または方位検知素子からの情報に基づいてバイブレータの回転速度と照光装置の点滅間隔とを同期させ、投光窓に照射する光の方向を指示するようにした場合には、例えば常に北の方角が光るようにして方位を示すことができ、また、ＧＰＳ受信機の場合には衛星の方向を光らせる、或いは目的地の方向を光らせることができる。
【００２１】
【発明の実施の形態】
以下、本発明の実施の形態を添付図面を参照して説明する。
【００２２】
図１〜図３は、携帯端末装置の一例である携帯電話機に適用した光表示装置の形態を示しており、図１は光表示装置の構成例を示す斜視図、図２は図１の光表示装置を携帯電話機に内蔵した状態を示す斜視図、図３は図２の一部を切断して表わした部分断面図である。
【００２３】
図１〜図３に示す如く、携帯電話機では、筺体１内部にバイブレータ２（モータ）を備えたものがあり、このバイブレータ２には偏心した重り３が設けられている。図２、図３に一例を示す携帯電話機では、操作部４（操作キー）を備える面の先端側にディスプレイ画面５が設けてあり、携帯電話機先端部の筺体１内部の構成部材６に前記バイブレータ２が固定されている。
【００２４】
前記重り３は、平面形状が略半円形を有しバイブレータ２に対して偏心して取り付けられており、前記重り３には、前記バイブレータ２の略回転軸上に鏡面７ａが位置するように反射部材７を設けている。この反射部材７は重り３の上部に固定してもよく、また、図１に示す如く略半円形状を有して偏心している重り３の直径方向の切欠き面に反射部材７を固定してもよい。筺体１の内部には、前記反射部材７に向けて点滅する光を投射するようにしたレーザ発光素子８からなる照光装置９を設ける。また、前記筺体１の先端部の外周面及び上面には透明或いは半透明の投光窓１０ａ，１０ｂ，１０ｃを設ける。上記したように、バイブレータ２の重り３に固定した反射部材７と、照光装置９と、筺体１の先端部に備えた投光窓１０ａ，１０ｂ，１０ｃとによって光表示装置が構成されている。
【００２５】
次に、上記形態例の作用を説明する。
【００２６】
前記光表示装置では、バイブレータ２を駆動して重り３を振動させ、この状態で前記レーザ発光素子８による照光装置９から反射部材７に向けて光を出射すると、光は反射部材７で反射されて投光窓１０ａ，１０ｂ，１０ｃの広い範囲に導かれ、投光窓１０ａ，１０ｂ，１０ｃから外部に向けて光を投光することができる。
【００２７】
従って、上記光表示装置では、照光装置９の点滅時間とバイブレータ２の回転速度を制御することにより、１つの照光装置９（光源）からの光を、反射部材７により略３６０゜の広い範囲に向けて多方向に投光できるので、イルミネーション効果を著しく高めることができる。このとき、図１に示す１つの鏡面７ａを有する反射部材７では、バイブレータ２の半回転（１８０゜の回転）で略３６０゜の範囲の投光ができるが、バイブレータ２の次の半回転（１８０゜の回転）では重り３の円弧外周面（背面）に光が投射されるので、光は反射されず投光窓１０ａ，１０ｂ，１０ｃを光らせることはできない。このとき、前記重り３の円弧外周面に反射部材を設けるようにすると、バイブレータ２の回転に伴い連続的に光を反射させて投光窓１０ａ，１０ｂ，１０ｃを光らせることができる。
【００２８】
例えば、レーザ発光素子８から出射された光が反射部材７で反射されて投光窓１０ａ，１０ｂ，１０ｃへ導かれるように、照光装置９の点滅時間とバイブレータ２の回転速度を同期させることにより、投光窓１０ａ，１０ｂ，１０ｃの光る方向を静止させることができ、また、僅かなずれをもつ非同期で制御することにより、光る方向を低速で移動（回転）させたり、任意の投光窓１０ａ，１０ｂ，１０ｃをランダムで光らせる等の、複雑な状態表示が可能になる。
【００２９】
また、上記した如く照光装置９としてレーザ発光素子８を用いたので、照光装置９による光の強度を高めることができ、よって日中の屋外においても着信状態及び動作状態を視認でるように投光窓１０ａ，１０ｂ，１０ｃを強く光らせることができる。また、前記投光窓１０ａ，１０ｂ，１０ｃは、透明或いは半透明によって外部に向けて光を拡散させる機能を有しているので、光を拡散させることによりイルミネーション効果を更に高めることができる。
【００３０】
図４は、前記重り３に備える反射部材の他の例を示したものであり、図４の反射部材はバイブレータ２の重り３の上部に、両面に鏡面１１ａ，１１ｂを有する平板状の両面鏡１１を設けた場合を示している。このように平板状の両面鏡１１を設けると、バイブレータ２の回転に伴い、略３６０゜の範囲に連続して光を反射させて投光窓１０ａ，１０ｂ，１０ｃに導くことができる。
【００３１】
図５は、前記したように筺体１の先端部の外周面及び上面に投光窓１０ａ，１０ｂ，１０ｃを設けると共に、先端部の上面にも透明或いは半透明の投光窓１２を設けた場合を示している。図５の構成によれば、照光装置９の光源が光る様子や、反射部材７が回転する様子や、反射光の動き等を使用者が視認することができ、イルミネーション効果を更に高めることができる。
【００３２】
図６は、前記筺体１の外周面に設けられる投光窓１０ａ，１０ｂ，１０ｃの内側に、三角プリズム状の突起を備えた拡散部材１３を別個或いは一体に設けるようにした場合を示している。このような拡散部材１３を設置すると、反射部材７からの反射光を拡散部材１３で拡散して投光窓１０ａ，１０ｂ，１０ｃに導くことができるので、投光窓１０ａ，１０ｂ，１０ｃを広い範囲で光らせて、イルミネーション効果を更に高めることができる。
【００３３】
図７は、前記照光装置９の他の例を示したもので、高輝度のＬＥＤ１４と、該高輝度のＬＥＤ１４からの光を集光して反射部材７に導くようにした集光レンズ１５を設けている。このように、高輝度のＬＥＤ１４からの光を集光レンズ１５で集光して反射部材７に導くことにより、光の強度を前記レーザ発光素子８と同等に高めることができ、よって日中の屋外においても着信状態及び動作状態を視認することができる。
【００３４】
更に、前記携帯電話機の筺体１内に、ＧＰＳ受信機または方位検知素子を設置することができる。このようにＧＰＳ受信機または方位検知素子を備えると、ＧＰＳ受信機または方位検知素子からの情報に基づいてバイブレータ２の回転速度と照光装置９の点滅間隔とを同期させることによって、投光窓１０ａ，１０ｂ，１０ｃに照射する光の方向を指示することができる。即ち、例えば常に北の方角が光るようにして方位を示すことができる。また、衛星の方向を光らせたり、あるいは事前に目的地の位置情報を入力しておけば、目的地の方向を光らせることができる。
【００３５】
なお、上記形態では携帯電話機による携帯端末装置の場合について例示したが、本発明の構成はＰＤＡ、コードレス電話子機、ノートパソコン等の種々の携帯通信機器に適用できること、その他本発明の要旨を逸脱しない範囲内において種々変更を加え得ることは勿論である。
【００３６】
【発明の効果】
本発明の携帯端末装置によれば、筺体にバイブレータと照光装置と投光窓とを備え、バイブレータの重りに反射部材を設け、バイブレータを駆動して重りを振動させた状態で前記照光装置から出射した光を反射部材で反射させて投光窓から外部に投光するようにしたので、バイブレータの回転速度を変えたり、照光装置の点滅時間とバイブレータの回転速度を同期、或いは僅かなずれをもつ非同期で制御することにより、光る方向を静止させたり、光る方向を低速で移動（回転）させたり、任意の表示窓をランダムで光らせる等、複雑な状態表示ができ、１つの照光装置（光源）からの光を、広範囲且つ多方向に投光してイルミネーション効果を高めることができる。
【図面の簡単な説明】
【図１】本発明の光表示装置の一例を示す斜視図である。
【図２】図１の光表示装置を携帯電話機に内蔵させた状態を示す斜視図である。
【図３】図２の一部を切断して表わした斜視図である。
【図４】反射部材の他の例を示す斜視図である。
【図５】携帯電話機の先端部の上面にも投光窓を設けた場合の例を示す斜視図である。
【図６】投光窓の内側に設けるようにした拡散部材の例を示す斜視図である。
【図７】照光装置の他の例を示す斜視図である。
【符号の説明】
１    筺体
２    バイブレータ
３    重り
７    反射部材
７ａ                鏡面
８    レーザ発光素子
９    照光装置
１０ａ，１０ｂ，１０ｃ                投光窓
１１    両面鏡（反射部材）
１１ａ，１１ｂ                鏡面
１２    投光窓
１３    拡散部材
１４  高輝度のＬＥＤ（ＬＥＤ）
１５    集光レンズ
【図１】
2005051397.tif 000003
【図２】
2005051397.tif 000004
【図３】
2005051397.tif 000005
【図４】
2005051397.tif 000006
【図５】
2005051397.tif 000007
【図６】
2005051397.tif 000008
【図７】
2005051397.tif 000009